【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
コンピュータによって実施される方法であって、
クエリログに格納されたクエリから候補クエリを識別するステップを含み、前記候補クエリを識別するステップは、
クエリログに格納された前記クエリからあるクエリを識別するステップと、
前記クエリが、ある期間の間に少なくとも最小回数提示されたかどうかを判定するステップと、
前記クエリが、前記期間の間に最大回数未満で提示されたかどうかを判定するステップと、
前記クエリが、前記期間の間に、少なくとも前記最小回数、かつ、前記最大回数未満で提示された場合、1つまたは複数のコンピュータプロセッサにより、前記クエリを前記候補クエリとして識別するステップと、を含み、
前記方法は、
複数のウェブ文書について関連性スコアを生成するステップを含み、各関連性スコアは、対応するウェブ文書に関連付けられ、かつ、前記ウェブ文書に対する前記候補クエリの前記関連性の尺度であり、
前記方法は、
関連性閾値を超える関連付けられた関連性スコアを有するウェブ文書を選択するステップと、
前記選択されたウェブ文書を前記候補クエリに関連付けるステップとを含む、方法。
【請求項２】
前記方法は、
前記候補クエリおよび前記関連付けられたウェブ文書を広告グループと比較するステップをさらに含み、前記広告グループは、キーワードおよび広告の関連付けであり、
前記方法は、
前記比較に基づいて、前記候補クエリおよび前記関連付けられたウェブ文書が前記広告グループに対して関連性があるどうかを判定するステップと、
前記候補クエリおよび前記関連付けられたウェブ文書が前記広告グループに対して関連性がある場合、前記候補クエリおよび前記ウェブ文書を前記広告グループに関連付けるステップとをさらに含む請求項1に記載の方法。
【請求項３】
前記候補クエリおよび前記ウェブ文書を前記広告グループに関連付けるステップは、
前記候補クエリを前記広告に関連付けるステップと、
前記ウェブ文書を前記広告に関連付けるステップとを含み、当該関連付けは、前記候補クエリに一致するクエリに応答して前記広告が提供されるときに、前記広告に、前記ウェブ文書に対するリンクを含ませるように動作する、請求項2に記載の方法。
【請求項４】
複数のウェブ文書について関連性スコアを生成するステップは、前記候補クエリによって、ウェブ文書の集合体の適切なサブセットだけを検索するステップを含み、ウェブ文書の前記集合体の適切なサブセットは、複数のウェブ文書である請求項1に記載の方法。
【請求項５】
前記選択されたウェブ文書を前記候補クエリに関連付けるステップは、
前記候補クエリによって文書の前記集合体を検索するステップと、
ウェブ文書の集合体の前記適切なサブセットだけの前記検索の結果から用語の第1のベクトルを生成するステップと、
文書の前記集合体の前記検索の結果から用語の第2のベクトルを生成するステップと、
用語の前記第2のベクトルに対する用語の前記第1のベクトルの類似性尺度を決定するステップと、
前記類似性尺度が類似性閾値を超える場合、前記選択されたウェブ文書を前記候補クエリに関連付けるステップとを含む請求項4に記載の方法。
【請求項６】
前記選択されたウェブ文書を前記候補クエリに関連付けるステップは、
前記候補クエリによって文書の前記集合体を検索するステップと、
文書の前記集合体の前記検索の結果から用語の第1のベクトルを生成するステップと、
用語の前記第1のベクトルから意図尺度を決定するステップと、
前記意図尺度が意図閾値を超える場合、前記選択されたウェブ文書を前記候補クエリに関連付けるステップとを含む請求項4に記載の方法。
【請求項７】
候補クエリを識別するステップは、商業的提供を対象とするクエリを識別するステップを含む請求項1に記載の方法。
【請求項８】
カテゴリディレクトリ内で、前記選択されたウェブ文書が属するカテゴリを識別するステップと、
前記識別されたカテゴリの選択に応答して、前記候補クエリが提示されるように、前記候補クエリを前記識別されたカテゴリに関連付けるステップとをさらに含む請求項1に記載の方法。
【請求項９】
前記ウェブ文書は、ランディングページである請求項1に記載の方法。
【請求項１０】
コンピュータによって実施される方法であって、
クエリログに格納されたクエリから候補クエリを識別するステップを含み、前記候補クエリを識別するステップは、
クエリログに格納された前記クエリからあるクエリを識別するステップと、
前記クエリが、ある期間の間に少なくとも最小回数提示されたかどうかを判定するステップと、
前記クエリが、前記期間の間に最大回数未満で提示されたかどうかを判定するステップと、
前記クエリが、前記期間の間に、少なくとも前記最小回数、かつ、前記最大回数未満で提示された場合、1つまたは複数のコンピュータプロセッサにより、前記クエリを前記候補クエリとして識別するステップと、を含み、
前記方法は、各候補クエリについて、
ランディングページの集合体について関連性スコアを受信するステップを含み、ランディングページの前記集合体は、複数のランディングページの適切なサブセットであり、各関連性スコアは、ランディングページに関連付けられ、かつ、前記ランディングページに対する前記候補クエリの前記関連性の尺度であり、
前記方法は、各候補クエリについて、
関連性閾値を超える、関連付けられた関連性スコアを有する前記ランディングページを識別するステップと、
前記候補クエリを、識別されたランディングページに関連付けるステップとを含む、方法。
【請求項１１】
各候補クエリについて、
前記候補クエリおよび前記関連付けられたランディングページを、キーワードおよび広告の関連付けと比較するステップと、
前記比較に基づいて、前記候補クエリまたは前記関連付けられたランディングページの少なくとも1つが、キーワードおよび広告の前記関連付けに対して関連性があるかどうかを判定するステップと、
肯定的な判定に応答して、前記候補クエリおよび前記関連付けられたランディングページを前記広告に関連付けるステップとをさらに含む請求項10に記載の方法。
【請求項１２】
前記候補クエリを、識別されたランディングページに関連付けるステップは、各候補クエリについて、
ランディングページの前記集合体の適切なサブセットだけの検索の検索結果から用語の第1のベクトルを生成するステップと、
ランディングページの前記集合体の検索の検索結果から用語の第2のベクトルを生成するステップと、
用語の前記第2のベクトルに対する用語の前記第1のベクトルの類似性尺度を決定するステップと、
前記類似性尺度が類似性閾値を超える場合、前記候補クエリを前記ランディングページに関連付けるステップとを含む請求項10に記載の方法。
【請求項１３】
前記候補クエリを、識別されたランディングページに関連付けるステップは、各候補クエリについて、
ランディングページの前記集合体の検索の検索結果から用語の第1のベクトルを生成するステップと、
用語の前記第1のベクトルから意図尺度を決定するステップと、
前記意図尺度が意図閾値を超える場合、前記候補クエリを前記ランディングページに関連付けるステップとを含む請求項10に記載の方法。
【請求項１４】
クエリログに格納されたクエリから候補クエリを識別するクエリ抽出器を備えるシステムであって、前記クエリ抽出器は、
クエリログに格納された前記クエリからあるクエリを識別し、
前記クエリが、ある期間の間に少なくとも最小回数提示されたかどうかを判定し、
前記クエリが、前記期間の間に最大回数未満で提示されたかどうかを判定し、
前記クエリが、前記期間の間に、少なくとも前記最小回数、かつ、前記最大回数未満で提示された場合、前記クエリを前記候補クエリとして識別し、
前記システムは、
各候補クエリについて、ランディングページの集合体について関連性スコアを受信する候補クエリ検索評価器を備え、ランディングページの前記集合体は、複数のランディングページの適切なサブセットであり、各関連性スコアは、ランディングページに関連付けられ、かつ、前記ランディングページに対する前記候補クエリの前記関連性の尺度であり、前記候補クエリ検索評価器は、前記関連性スコアを関連性閾値と比較し、かつ、前記関連性閾値を超える関連性スコアを有する前記ランディングページを、前記候補クエリに関連付ける、システム。
【請求項１５】
前記候補クエリおよび関連付けられたランディングページを受信し、各候補クエリおよび関連付けられたランディングページについて、関連性基準に基づいて、前記クエリに対するランディングページの関連付けをフィルタリングするフィルタをさらに備える請求項14に記載のシステム。
【請求項１６】
各候補クエリについて、前記関連付けられたランディングページが属するカテゴリを、カテゴリディレクトリ内で識別し、前記識別されたカテゴリの選択された1つのカテゴリに応答して、前記候補クエリが提示されるように、前記候補クエリを前記識別されたカテゴリに関連付けるクエリカテゴライザをさらに備える請求項14に記載のシステム。
【請求項１７】
広告グループアナライザをさらに備え、前記広告グループアナライザは、各候補クエリについて、
前記候補クエリおよび前記関連付けられたランディングページを、広告グループと比較し、前記広告グループは、キーワードおよび広告の関連付けであり、
前記広告グループアナライザは、各候補クエリについて、
前記比較に基づいて、前記候補クエリおよび前記関連付けられたランディングページが、前記広告グループに関連性があるかどうかを判定し、
前記候補クエリおよび前記関連付けられたウェブ文書が前記広告グループに対して関連性があると判定された場合、前記候補クエリおよび前記関連付けられたランディングページを前記広告グループに関連付ける請求項14に記載のシステム。